(57)【特許請求の範囲】
【請求項１】
粉体が排出される排出管が挿入される挿入口が形成された挿入壁と、前記挿入壁における前記排出管の被挿入側にある被挿入面に対向する対向壁と、該対向壁から前記挿入壁へ延びる延び壁と、を有して構成され、前記排出管から排出された粉体を収容する収容部を内部に有する筐体と、
前記被挿入面であって前記挿入口の縁に設けられ、前記挿入壁と前記延び壁との間を封止し、前記挿入口に挿入された場合における前記排出管と前記挿入壁との間を封止する封止部材と、
前記挿入壁と前記対向壁との間で前記収容部の周囲を囲むように設けられ、前記挿入壁及び前記対向壁とで前記筐体の外壁をなす周囲壁と、
を備え、
前記延び壁には、前記筐体内において前記排出管が挿入される被挿入空間と前記収容部とを仕切り、前記排出管からの粉体を前記収容部へ流入させる流入口が形成され、
さらに、前記被挿入空間内に前記流入口を開閉可能に設けられ、前記流入口の閉鎖状態において前記封止部材によって前記挿入壁との間を封止される開閉部と、
を備える収容容器。
【請求項２】
前記請求項１の収容容器と、
被転写体へ画像を転写する転写体と、
前記被転写体への転写後に前記転写体に残留した前記粉体を除去する除去装置と、
前記除去装置に除去された粉体を前記収容容器へ排出する前記排出管と、
を備える画像形成装置。
【発明の詳細な説明】
【技術分野】
【０００１】
本発明は、収容容器及び画像形成装置に関する。
【背景技術】
【０００２】
特許文献１には、記録用紙上に転写されずに回収された廃トナーが収納され、カラー画像形成装置１から取り外しできる廃トナー回収容器３８において、廃トナー回収容器３８と回収した廃トナーを該廃トナー回収容器３８内に搬送するトナー搬送部材３９との連結部に、前記廃トナーが搬送される時に該連結部から廃トナーがこぼれるのを防止し、さらに搬送された廃トナーが所定量収納された後に交換のために外されたその廃トナー回収容器３８から廃トナーがこぼれ出さないように回収口３８ａを封止する気密部材４０を配設した構成が開示されている。
【先行技術文献】
【特許文献】
【０００３】
【特許文献１】特開２００６−１４６１６３号公報
【発明の概要】
【発明が解決しようとする課題】
【０００４】
本発明は、部材間を封止する封止部材の数を低減することを課題とする。
【課題を解決するための手段】
【０００５】
請求項１の発明は、粉体が排出される排出管が挿入される挿入口が形成された挿入壁と、前記挿入壁における前記排出管の被挿入側にある被挿入面に対向する対向壁と、該対向壁から前記挿入壁へ延びる延び壁と、を有して構成され、前記排出管から排出された粉体を収容する収容部を内部に有する筐体と、前記被挿入面であって前記挿入口の縁に設けられ、前記挿入壁と前記延び壁との間を封止し、前記挿入口に挿入された場合における前記排出管と前記挿入壁との間を封止する封止部材と、前記挿入壁と前記対向壁との間で前記収容部の周囲を囲むように設けられ、前記挿入壁及び前記対向壁とで前記筐体の外壁をなす周囲壁と、を備え、前記延び壁には、前記筐体内において前記排出管が挿入される被挿入空間と前記収容部とを仕切り、前記排出管からの粉体を前記収容部へ流入させる流入口が形成され、さらに、前記被挿入空間内に前記流入口を開閉可能に設けられ、前記流入口の閉鎖状態において前記封止部材によって前記挿入壁との間を封止される開閉部と、を備える収容容器である。
【０００７】
請求項２の発明は、前記請求項１の収容容器と、被転写体へ画像を転写する転写体と、前記被転写体への転写後に前記転写体に残留した前記粉体を除去する除去装置と、前記除去装置に除去された粉体を前記収容容器へ排出する前記排出管と、を備える画像形成装置である。
【発明の効果】
【０００９】
本発明の請求項１の構成によれば、挿入壁と延び壁との間と、排出管と挿入壁との間と、挿入壁と開閉部との間と、を別々の封止部材で封止する構成に比べ、部材間を封止する封止部材の数を低減できる。
【００１０】
本発明の請求項２の構成によれば、本発明を備えない構成に比べ、少ない数の封止部材によって、転写体から除去された粉体が収容容器から漏れないようにできる。
【図面の簡単な説明】
【００１１】
【図１】本実施形態に係る画像形成装置の構成を示す概略図である。
【図２】本実施形態に係る収容容器が取り外された状態の画像形成装置本体の構成を示す斜視図である。
【図３】本実施形態に係る収容容器の一部及び排出管の構成を示す断面図である。
【図４】図３に示す構成において、排出管が収容容器へ挿入された状態を示す断面図である。
【図５】カバー体が取り外された状態の画像形成装置本体の構成を示す概略図である。
【図６】カバー体が取り付けられた状態の画像形成装置本体の構成を示す概略図である。
【図７】本実施形態に係る収容容器の構成を示す斜視図である。
【図８】図７に示す構成において、第２構成部材側から見た（Ｚ方向矢視）概略図である。
【図９】本実施形態に係る収容容器の第１構成部材の内部構成を示す斜視図である。
【図１０】本実施形態に係る収容容器の第２構成部材の構成を示す斜視図である。
【発明を実施するための形態】
【００１２】
以下に、本発明に係る実施形態の一例を図面に基づき説明する。
（本実施形態に係る画像形成装置の構成）
まず、本実施形態に係る画像形成装置の構成を説明する。図１は、本実施形態に係る画像形成装置の構成を示す概略図である。なお、下記のＸ方向・−Ｘ方向・Ｙ方向・−Ｙ方向・Ｚ方向・−Ｚ方向は、図中に示す矢印方向である。また、図中の「○」の中に「×」が記載されたものは、手前から奥へ向かう矢印を意味し、図中の「○」の中に「・」が記載されたものは、奥から手前へ向かう矢印を意味する。
【００１３】
画像形成装置１０は、図１に示すように、各構成部品が設けられる画像形成装置本体１１を備えている。画像形成装置本体１１の内部には、用紙等の記録媒体Ｐが収容される収容部１２と、記録媒体Ｐに画像を形成する画像形成部１４と、収容部１２から画像形成部１４へ記録媒体Ｐを搬送する搬送部１６と、画像形成装置１０の各部の動作を制御する制御部２０と、が設けられている。また、画像形成装置本体１１の上部には、画像形成部１４によって画像が形成された記録媒体Ｐが排出される排出部１８が設けられている。
【００１４】
画像形成部１４は、イエロー（Ｙ）、マゼンタ（Ｍ）、シアン（Ｃ）、ブラック（Ｋ）の各色のトナー画像を形成する画像形成ユニット２２Ｙ、２２Ｍ、２２Ｃ、２２Ｋ（以下、２２Ｙ〜２２Ｋと示す）と、画像形成ユニット２２Ｙ〜２２Ｋで形成されたトナー画像が転写される中間転写ベルト２４と、画像形成ユニット２２Ｙ〜２２Ｋで形成されたトナー画像を中間転写ベルト２４に転写する第１転写ロール２６と、第１転写ロール２６によって中間転写ベルト２４に転写されたトナー画像を中間転写ベルト２４から記録媒体Ｐへ転写する第２転写ロール２８と、を備えている。なお、画像形成部１４は、上記の構成に限られず、他の構成であっても良く、記録媒体Ｐに画像を形成するものであればよい。
【００１５】
画像形成ユニット２２Ｙ〜２２Ｋは、水平方向に対して傾斜した状態で、画像形成装置本体１１に並んで配置されている。また、画像形成ユニット２２Ｙ〜２２Ｋは、一方向（例えば、図１における時計回り方向）へ回転する感光体３２をそれぞれ有している。なお、画像形成ユニット２２Ｙ〜２２Ｋは、同様に構成されているので、図１において、画像形成ユニット２２Ｍ・２２Ｃ・２２Ｋの各部の符号を省略している。
【００１６】
各感光体３２の周囲には、感光体３２の回転方向上流側から順に、感光体３２を帯電させる帯電装置の一例としての帯電ロール２３と、帯電ロール２３によって帯電した感光体３２を後述の露光装置３６が露光することで感光体３２に形成された静電潜像を現像してトナー画像を形成する現像装置３８と、が設けられている。
【００１７】
画像形成ユニット２２Ｙ〜２２Ｋの斜め下方には、帯電ロール２３によって帯電した感光体３２を露光して感光体３２に静電潜像を形成する露光装置３６が設けられている。露光装置３６は、制御部２０から送られた画像信号に基づき静電潜像を形成するようになっている。制御部２０から送られる画像信号としては、例えば、制御部２０が外部装置から取得した画像信号がある。
【００１８】
現像装置３８は、感光体３２へ現像剤を供給する現像剤供給体３８Ａと、現像剤供給体３８Ａへ付与される現像剤を攪拌しながら搬送する複数の搬送部材３８Ｂと、を備えている。
【００１９】
中間転写ベルト２４は、環状に形成されると共に、画像形成ユニット２２Ｙ〜２２Ｋの上側（Ｙ方向側）に配置されている。中間転写ベルト２４の内周側には、中間転写ベルト２４が巻き掛けられる巻掛ロール４２・４３・４４・４５が設けられている。中間転写ベルト２４は、巻掛ロール４２・４３・４４・４５のいずれかが回転駆動することによって、感光体３２と接触しながら一方向（例えば、図１における反時計回り方向）へ循環移動（回転）するようになっている。なお、巻掛ロール４２は、第２転写ロール２８に対向する対向ロールとされている。
【００２０】
第１転写ロール２６は、中間転写ベルト２４を挟んで感光体３２に対向している。第１転写ロール２６と感光体３２との間が、感光体３２に形成されたトナー画像が中間転写ベルト２４に転写される第１転写位置Ｔ１とされている。
【００２１】
第２転写ロール２８は、中間転写ベルト２４を挟んで巻掛ロール４２に対向している。第２転写ロール２８と巻掛ロール４２との間が、中間転写ベルト２４に転写されたトナー画像が記録媒体Ｐに転写される第２転写位置Ｔ２とされている。
【００２２】
搬送部１６は、収容部１２に収容された記録媒体Ｐを送り出す送出ロール４６と、送出ロール４６に送り出された記録媒体Ｐが搬送される搬送路４８と、搬送路４８に沿って配置され送出ロール４６によって送り出された記録媒体Ｐを第２転写位置Ｔ２へ搬送する複数の搬送ロール５０と、が設けられている。
【００２３】
第２転写位置Ｔ２より搬送方向下流側には、画像形成部１４によって記録媒体Ｐに形成されたトナー画像を記録媒体Ｐに定着させる定着装置４０が設けられている。この定着装置４０より搬送方向下流側には、トナー画像が定着された記録媒体Ｐを排出部１８へ排出する排出ロール５２が設けられている。
【００２４】
また、片面にトナー画像が定着された記録媒体Ｐを反転させて、再び第２転写位置Ｔ２へ送り戻すための反転搬送路３７が、搬送路４８に対する中間転写ベルト２４とは反対側（Ｘ方向側）に設けられている。記録媒体Ｐの両面に画像を形成する際には、片面にトナー画像が定着された記録媒体Ｐが、排出ロール５２によりスイッチバックされて反転搬送路３７に導かれて第２転写位置Ｔ２へ送り戻されるようになっている。
【００２５】
次に、本実施形態に係る画像形成装置１０における、記録媒体Ｐへ画像を形成する画像形成動作について説明する。
【００２６】
本実施形態に係る画像形成装置１０では、収容部１２から送出ロール４６によって送り出された記録媒体Ｐが、複数の搬送ロール５０によって第２転写位置Ｔ２へ送り込まれる。
【００２７】
一方、画像形成ユニット２２Ｙ〜２２Ｋでは、帯電ロール２３によって帯電した感光体３２が、露光装置３６によって露光されて感光体３２に静電潜像が形成される。その静電潜像が現像装置３８によって現像されて感光体３２にトナー画像が形成される。画像形成ユニット２２Ｙ〜２２Ｋで形成された各色のトナー画像は、第１転写位置Ｔ１にて中間転写ベルト２４に重ねられて、カラー画像が形成される。そして、中間転写ベルト２４に形成されたカラー画像が、第２転写位置Ｔ２にて記録媒体Ｐへ転写される。
【００２８】
トナー画像が転写された記録媒体Ｐは、定着装置４０へ搬送され、転写されたトナー画像が定着装置４０により定着される。記録媒体Ｐの片面へのみ画像を形成する場合は、トナー画像が定着された後、記録媒体Ｐは排出ロール５２により排出部１８へ排出される。記録媒体Ｐの両面へ画像を形成する場合には、片面に画像が形成された後、記録媒体Ｐは、排出ロール５２でスイッチバックされ、反転して反転搬送路３７へ送り込まれる。さらに、反転搬送路３７から再び第２転写位置Ｔ２へ送り込まれ、画像が記録されていない反対面に、上記と同様に画像が形成され、記録媒体Ｐの両面へ画像が形成され、排出ロール５２により排出部１８へ排出される。以上のように、一連の画像形成動作が行われる。
【００２９】
（残留トナーを除去する除去装置）
次に、残留トナーを除去する除去装置について説明する。
【００３０】
画像形成ユニット２２Ｙ〜２２Ｋは、図１に示すように、それぞれ、中間転写ベルト２４（被転写体の一例）へトナー画像を転写する転写体の一例としての感光体３２に残留した残留トナー（粉体の一例）を除去する除去装置６０を備えている。
【００３１】
この除去装置６０は、感光体３２の外周において、第１転写位置Ｔ１に対する感光体３２の回転方向下流側、かつ、帯電ロール２３に対する感光体３２の回転方向上流側に設けられている。
【００３２】
除去装置６０は、除去装置６０の各構成部品が設けられる筐体６２と、筐体６２に設けられ感光体３２に接触して感光体３２に残留している残留トナーを除去する除去部材６４と、筐体６２に設けられ除去部材６４が除去した残留トナーを後述の収容容器８０（図７参照）へ搬送する搬送部材６６と、を備えている。
【００３３】
筐体６２は、感光体３２に対向する位置（感光体３２側）で開口する開口部６２Ａを有している。筐体６２の内部には、除去部材６４で除去された残留トナーが収容される収容空間Ｓが形成されている。
【００３４】
除去部材６４は、先端部が感光体３２に接触するように筐体６２の開口部６２Ａに設けられている。除去部材６４は、例えば、感光体３２に接触して感光体３２の残留トナーを掻き取るゴム等のブレードで構成されている。除去部材６４で除去された残留トナーは、その自重等により、筐体６２内部の収容空間Ｓに収容されるようになっている。
【００３５】
なお、画像形成ユニット２２Ｙ〜２２Ｋにおける除去装置６０は、同様に構成されているので、図１において、画像形成ユニット２２Ｙ・２２Ｍ・２２Ｃにおける除去装置６０の各部の符号を省略している。
【００３６】
また、画像形成装置１０は、記録媒体Ｐ（被転写体の一例）へトナー画像を転写する転写体の一例としての中間転写ベルト２４に残留した残留トナーを除去する除去装置６１を備えている。この除去装置６１は、中間転写ベルト２４の外周において、中間転写ベルト２４を挟んで巻掛ロール４３と対向する対向位置に設けられている。
【００３７】
除去装置６１は、除去装置６１の各構成部品が設けられる筐体６３と、筐体６３に設けられ中間転写ベルト２４に接触して中間転写ベルト２４に残留している残留トナーを除去する除去部材６５と、筐体６３に設けられ除去部材６５が除去した残留トナーを後述の収容容器８０（図７参照）へ搬送する搬送部材６６と、を備えている。
【００３８】
筐体６３は、中間転写ベルト２４に対向する位置（中間転写ベルト２４側（Ｘ方向側））で開口する開口部６３Ａを有している。筐体６３の内部には、除去部材６５で除去された残留トナーが収容される収容空間Ｓが形成されている。
【００３９】
除去部材６５は、先端部が中間転写ベルト２４に接触するように筐体６３の開口部６３Ａに設けられている。除去部材６５は、例えば、中間転写ベルト２４に接触して中間転写ベルト２４の残留トナーを掻き取るゴム等のブレードで構成されている。除去部材６５で除去された残留トナーは、その自重等により、筐体６３内部の収容空間Ｓに収容されるようになっている。
【００４０】
（搬送部材６６及び排出管６８の具体的な構成）
次に、搬送部材６６及び排出管６８の具体的な構成について説明する。なお、除去装置６１における搬送部材６６及び排出管６８の構成は、除去装置６０における搬送部材６６及び排出管６８の構成と同様であるので、適宜、説明を省略する。
【００４１】
各画像形成ユニット２２Ｙ〜２２Ｋには、図２に示すように、除去装置６０の筐体６２から水平方向（−Ｚ方向）へ突出する排出管６８が設けられている。排出管６８の内部は、筐体６２内部の収容空間Ｓ（図１参照）と通じており、筐体６２内部の収容空間Ｓに収容された残留トナーが、排出管６８の内部へ流入可能とされている。除去装置６１においては、筐体６３から水平方向（−Ｚ方向）へ突出する排出管６８が設けられ、その排出管６８の内部が筐体６３内部の収容空間Ｓ（図１参照）と通じている。
【００４２】
各筐体６２・６３（図１参照）に設けられた搬送部材６６の一端部（−Ｚ方向側端部）は、図３に示すように、排出管６８の内部に設けられている。すなわち、搬送部材６６は、筐体６２（除去装置６１において筐体６３）の収容空間Ｓ（図１参照）から排出管６８の内部に渡って設けられている。
【００４３】
搬送部材６６は、回転可能な回転軸６６Ａと、回転軸６６Ａに対してその軸周りに螺旋状に設けられた螺旋部材６６Ｂと、を備えて構成されている。回転軸６６Ａは、一端部（−Ｚ方向側端部）が排出管６８内部に配置されており、他端部（Ｚ方向側端部）が、図示はしないが、筐体６２のＺ方向側の側壁に回転可能に支持されている。回転軸６６Ａの他端部（Ｚ方向側端部）が、図示しないモータからの回転力を受けて回転軸６６Ａが回転するようになっている。螺旋部材６６Ｂは、回転軸６６Ａの回転により、残留トナーを筐体６２の収容空間Ｓ（図１参照）から排出管６８へ搬送するようになっている。
【００４４】
排出管６８は、大径部６８Ａと、大径部６８Ａと同軸上にその先端部（−Ｚ方向端部）に一体に設けられた小径部６８Ｂと、を有して構成されている。大径部６８Ａの先端部（−Ｚ方向端部）には、後述のシャッタ８８の被押し面８８Ｃを押す押し面７２が、小径部６８Ｂの径方向外側で小径部６８Ｂの軸周りに環状に形成されている。押し面７２は、小径部６８Ｂの先端側（−Ｚ方向側）に向けられている。
【００４５】
排出管６８における押し面７２の反対側（Ｚ方向側）の面は、後述の開閉管７４の被規制面７５に当って開閉管７４の移動を規制する規制面７３とされている。規制面７３は、大径部６８Ａの後端側（Ｚ方向側）に向けられている。
【００４６】
小径部６８Ｂには、小径部６８Ｂの軸方向に貫通し後述の突出部８７が挿入される挿入孔７０が形成されている。
【００４７】
大径部６８Ａにおける排出管６８の突出方向（−Ｚ方向）中間部には、大径部６８Ａ内部の残留トナーを大径部６８Ａの外部へ排出するための排出口６９が、大径部６８Ａの管壁における下方側（−Ｙ方向側）の周方向一部に形成されている。
【００４８】
大径部６８Ａにおける排出口６９よりも後端側（Ｚ方向側）の内壁には、径方向内側に張り出して、先端側（−Ｚ方向）を向く環状の張出面７７が形成されている。
【００４９】
排出管６８の内部には、排出口６９を開閉する開閉管７４が排出管６８の同軸上に設けられている。開閉管７４は、排出管６８の軸方向（−Ｚ方向・Ｚ方向）に移動可能とされている。
【００５０】
開閉管７４は、大径部７４Ａと、大径部７４Ａと同軸上にその先端部（−Ｚ方向端部）に一体に設けられた小径部７４Ｂと、を有して構成されている。大径部７４Ａの先端部（−Ｚ方向端部）には、排出管６８の規制面７３に当って開閉管７４の移動が規制される被規制面７５が、小径部７４Ｂの径方向外側で小径部７４Ｂの軸周りに環状に形成されている。
【００５１】
小径部７４Ｂは、排出管６８の挿入孔７０の挿入可能な径とされている。小径部７４Ｂの先端面７６は、後述の突出部８７の先端部８７Ａに押される被押し面とされている。
【００５２】
大径部７４Ａの先端側（−Ｚ方向側）の管壁における下方側（Ｙ方向側）の周方向一部には、大径部７４Ａの管壁を貫通し、排出管６８の排出口６９を開放する開放口７５Ａが形成されている。開閉管７４における開放口７５Ａよりも後端側（Ｚ方向側）の管壁の一部は、排出管６８の排出口６９を閉鎖する閉鎖部７５Ｂとされている。
【００５３】
開閉管７４は、被規制面７５が排出管６８の規制面７３に当って移動が規制された状態で閉鎖部７５Ｂによって排出管６８の排出口６９を閉鎖する閉鎖位置（図３に示す位置）と、開放口７５Ａによって排出管６８の排出口６９を開放する開放位置（図４に示す位置）と、の間を移動可能とされている。
【００５４】
開閉管７４の大径部７４Ａの後端と排出管６８の大径部６８Ａの張出面７７との間には、開閉管７４を閉鎖位置に付勢する付勢部材の一例としての圧縮コイルバネ７１が設けられている。
【００５５】
（本実施形態に係る収容容器８０の構成）
次に、本実施形態に係る収容容器８０の構成を説明する。
【００５６】
収容容器８０は、図５に示すように、画像形成装置本体１１における−Ｚ方向側の側部に着脱可能に設けられている。画像形成装置本体１１における−Ｚ方向側の側部には、図６に示すように、画像形成装置本体１１に取り付けられた状態の収容容器８０を覆うカバー体１３が着脱可能に設けられている。
【００５７】
従って、カバー体１３を画像形成装置本体１１から取り外した状態（図５に示す状態）において、収容容器８０が画像形成装置本体１１に対して着脱されるようになっている。
【００５８】
収容容器８０は、図７及び図８に示すように、排出管６８（図４参照）から排出された残留トナーを収容する収容部８５（図４・図９参照）を内部に有する筐体８４を備えている。筐体８４は、排出管６８が挿入される挿入口９３Ａが形成された挿入壁９３を有する第１構成部材９１と、挿入壁９３における排出管６８の被挿入側にある被挿入面９３Ｂ（図３・図９参照）に対向する対向壁８３を有する第２構成部材８２と、を備えて構成されている。この第１構成部材９１と第２構成部材８２とは、超音波溶着・振動溶着等の溶着や、ネジ止めなどによって、固定されている。
【００５９】
挿入口９３Ａは、複数の排出管６８の配置方向Ｈ（図２参照）に沿って各排出管６８に対応した位置に５つ設けられている。これにより、５つの排出管６８のそれぞれが、各挿入口９３Ａに一括で（一度に）挿入されるようになっている。また、各挿入口９３Ａは、挿入壁９３をその厚み方向に貫通する円孔で構成されている。
【００６０】
さらに、第１構成部材９１は、挿入壁９３と第２構成部材８２の対向壁８３との間で収容部８５の周囲を囲むように設けられた周囲壁９４を有している。周囲壁９４は、図９に示すように、挿入壁９３と一体に形成されており、挿入壁９３の−Ｙ方向端でＸ方向に延びる第１壁９４Ａと、挿入壁９３の−Ｘ方向端でＹ方向に延びる第２壁９４Ｂと、第１壁９４ＡのＸ方向端から第２壁９４ＢのＹ方向端へ向けて上り勾配の階段状に形成された第３壁９４Ｃと、を有して構成されている。
【００６１】
この周囲壁９４は、挿入壁９３及び第２構成部材８２の対向壁８３とで筐体８４の外壁をなしている。なお、周囲壁９４は、第１構成部材９１ではなく、第２構成部材８２に設けられていてもよい。
【００６２】
筐体８４内部の収容部８５は、排出管６８から排出された残留トナーが最初に収容される第１収容室８５Ａと、仕切壁９６によって第１収容室８５Ａと仕切られた第２収容室８５Ｂと、を備えて構成されている。
【００６３】
収容部８５には、第１収容室８５Ａから第２収容室８５Ｂへ残留トナーを搬送する搬送部材９８が設けられている。搬送部材９８は、回転可能な回転軸９８Ａと、回転軸９８Ａに対してその軸周りに螺旋状に設けられた螺旋部材９８Ｂと、を備えて構成されている。回転軸９８Ａは、一端部（Ｘ方向側端部）及び他端部（−Ｘ方向側端部）が、周囲壁９４に回転可能に支持されている。回転軸９８Ａの一端部（Ｘ方向側端部）が、図示しないモータからの回転力を受けて回転軸９８Ａが回転するようになっている。螺旋部材９８Ｂは、回転軸９８Ａの回転により、第１収容室８５Ａに収容された残留トナーを第１収容室８５Ａから第２収容室８５Ｂへ搬送するようになっている。
【００６４】
搬送部材９８は、具体的には、複数の挿入口９３Ａの下方側（−Ｙ方向側）であって、収容部８５の上部（Ｙ方向側部分）において、複数の挿入口９３Ａの配置方向に沿って配置されている。これにより、第１収容室８５Ａ内の残留トナーの量が増えて、搬送部材９８がある第１収容室８５Ａの上部に残留トナーが達し、第１収容室８５Ａ内の残留トナーが満杯になると、残留トナーが、搬送部材９８によって第１収容室８５Ａから第２収容室８５Ｂへ搬送されるようになっている。
【００６５】
第２収容室８５Ｂには、収容部８５内（第１収容室８５Ａ内）の残留トナーが満杯になったことを検知するための検知センサ９９が設けられている。
【００６６】
第２構成部材８２は、図１０に示すように、対向壁８３から第１構成部材９１の挿入壁９３（図３参照）側へ（Ｚ方向側へ）延びる延び壁の一例としての円筒壁８６を備えている。円筒壁８６は、対向壁８３の厚み方向（Ｚ方向）を軸方向とする円筒状（管状）とされている。円筒壁８６は、対向壁８３における挿入壁９３と対向する対向面８３Ａにおいて挿入壁９３側（Ｚ方向側）へ突出するように、対向壁８３と一体に形成されている。
【００６７】
円筒壁８６の先端部（Ｚ方向側端部）８６Ｃは、図３に示すように、挿入口９３Ａの外周を囲んでいる。これにより、円筒壁８６内に排出管６８が挿入される被挿入空間８６Ｂが形成される。この被挿入空間８６Ｂは、円筒壁８６によって第１収容室８５Ａ（収容部８５）と仕切られている。
【００６８】
対向壁８３の対向面８３Ａには、円筒壁８６の内部で、円筒壁８６の軸方向に沿って挿入壁９３側（Ｚ方向）へ突出する突出部８７が設けられている。突出部８７は、具体的には、円筒壁８６の軸中心部で棒状（円柱状）に形成されている。突出部８７は、排出管６８が被挿入空間８６Ｂに挿入された場合において、圧縮コイルバネ７１の付勢力に対抗して、開閉管７４の小径部７４Ｂの先端面７６を先端部８７Ａで押し、開閉管７４を開放位置へ移動させる押し部材として機能するようになっている。
【００６９】
さらに、対向壁８３の対向面８３Ａには、後述の圧縮コイルバネ８１を保持する円筒状の保持部８９が、円筒壁８６の内部において突出部８７の軸周りに突出部８７の外周を囲むように設けられている。
【００７０】
円筒壁８６の突出方向（Ｚ方向）中間部には、排出管６８からの残留トナーを収容部８５（第１収容室８５Ａ）へ流入させる流入口８６Ａが、円筒壁８６の管壁における下方側（−Ｙ方向側）の周方向一部に形成されている。
【００７１】
円筒壁８６の内部には、流入口８６Ａを開閉可能である開閉部の一例としてのシャッタ８８が設けられている。シャッタ８８は、円筒壁８６の同軸上に設けられた円筒状の部材で構成されている。
【００７２】
シャッタ８８は、円筒壁８６の流入口８６Ａを閉鎖する閉鎖位置（図３に示す位置）と、円筒壁８６の流入口８６Ａを開放する開放位置（図４に示す位置）と、の間を、円筒壁８６の軸方向（−Ｚ方向・Ｚ方向）に移動可能とされている。
【００７３】
シャッタ８８の内部には、円筒状の内筒部８８Ａがシャッタ８８と一体に設けられている。内筒部８８Ａとシャッタ８８との間には、対向壁８３側（−Ｚ方向側）に圧縮コイルバネ７１の保持するための保持溝８８Ｂが形成されている。
【００７４】
内筒部８８Ａの挿入壁９３側（Ｚ方向側）には、排出管６８の押し面７２に押される被押し面８８Ｃが形成されている。
【００７５】
円筒状の内筒部８８Ａと対向壁８３との間には、シャッタ８８を閉鎖位置に付勢する付勢部材の一例としての圧縮コイルバネ８１が、内筒部８８Ａの保持溝８８Ｂと対向壁８３の保持部８９とで保持されている。
【００７６】
なお、図８に示すように、第２構成部材８２の対向壁８３における対向面８３Ａとは反対側の反対面８３Ｂには、画像形成装置本体１１に対する着脱の際に用いられる取っ手８０Ａが設けられている。また、図１０及び図７に示すように、第２構成部材８２の対向壁８３には、画像形成装置本体１１に対して取り外し可能に固定される固定部材としてのラッチ８０Ｂが２つ設けられている。このラッチ８０Ｂによって、収容容器８０が画像形成装置本体１１に対して着脱されるようになっている。
【００７７】
（本実施形態に係る封止部材の構成）
次に、本実施形態に係る封止部材の構成について説明する。
【００７８】
本実施形態では、図３に示すように、挿入壁９３と円筒壁８６との間を封止する封止部材９０が、挿入壁９３の被挿入面９３Ｂであって各挿入口９３Ａの縁に設けられている（図７及び図９参照）。封止部材９０は、円板状に形成されている（図９参照）。封止部材９０の軸中央部には、排出管６８が挿入される挿入孔９０Ａが、挿入壁９３の挿入口９３Ａの同軸上に形成されている。挿入孔９０Ａは、封止部材９０をその厚み方向に貫通し、挿入壁９３の挿入口９３Ａよりも小径の円孔で構成されている。
【００７９】
封止部材９０は、例えば、ウレタン製のスポンジで構成されている。封止部材９０としては、ウレタン製のスポンジに限られず、ゴム等の弾性部材であってもよい。
【００８０】
封止部材９０では、図３に示すように、表面（Ｚ方向側の面）が、挿入壁９３の被挿入面９３Ｂに接触し、裏面（−Ｚ方向側の面）が、円筒壁８６の先端部（Ｚ方向側端部）８６Ｃにその全周において接触することで、挿入壁９３と円筒壁８６との間を封止している。
【００８１】
封止部材９０は、図４に示すように、挿入壁９３の挿入口９３Ａに挿入された場合における排出管６８の管壁の外面に対して、挿入孔９０Ａの内壁が接触することで、排出管６８と挿入壁９３との間を封止する封止部材としても機能するようになっている。
【００８２】
さらに、封止部材９０は、裏面（−Ｚ方向側の面）が、図３に示すように、円筒壁８６の先端部（Ｚ方向側端部）８６Ｃとの接触部位よりも径方向内側において、閉鎖位置に位置する状態のシャッタ８８のＺ方向側端部と接触することで、シャッタ８８と挿入壁９３との間を封止する封止部材としても機能するようになっている。
【００８３】
（本実施形態に係る作用）
次に、本実施形態に係る作用を説明する。
【００８４】
本実施形態に係る構成によれば、収容容器８０が画像形成装置本体１１に取り付けられると、図４に示すように、排出管６８が、挿入壁９３の挿入口９３Ａ及び封止部材９０の挿入孔９０Ａを通じて円筒壁８６内の被挿入空間８６Ｂに挿入される。これにより、排出管６８の押し面７２が、圧縮コイルバネ８１の付勢力に対抗して、シャッタ８８の被押し面８８Ｃを押し、シャッタ８８を開放位置に移動させる。さらに、突出部８７の先端部８７Ａが、圧縮コイルバネ７１の付勢力に対抗して、開閉管７４の先端面７６を押し、開閉管７４を開放位置へ移動させる。
【００８５】
これにより、開閉管７４の開放口７５Ａが排出管６８の排出口６９を開放すると共に、シャッタ８８が円筒壁８６の流入口８６Ａを開放し、排出管６８から収容容器８０の収容部８５（第１収容室８５Ａ）への残留トナーの流入が可能となる。そして、搬送部材６６によって、筐体６２（筐体６３）の収容空間Ｓ（図１参照）にある残留トナーが、排出管６８を通じて収容容器８０の収容部８５（第１収容室８５Ａ）へ搬送される。
【００８６】
収容容器８０が画像形成装置本体１１に取り付けられた状態では、挿入壁９３と円筒壁８６との間を封止する封止部材９０が、排出管６８と挿入壁９３との間を封止する。これにより、収容容器８０内部の収容部８５に収容された残留トナーが、挿入壁９３と円筒壁８６との間、及び排出管６８と挿入壁９３との間を通過することが抑制される。
【００８７】
収容容器８０が画像形成装置本体１１から取り外されると、図３に示すように、圧縮コイルバネ７１によって開閉管７４が閉鎖位置に移動し、開閉管７４の閉鎖部７５Ｂが排出管６８の排出口６９を閉鎖する。さらに、圧縮コイルバネ８１によってシャッタ８８が閉鎖位置に移動し、シャッタ８８が円筒壁８６の流入口８６Ａを閉鎖する。
【００８８】
収容容器８０が画像形成装置本体１１から取り外された取外状態では、挿入壁９３と円筒壁８６との間を封止する封止部材９０が、シャッタ８８と挿入壁９３との間を封止する。これにより、収容容器８０内部の収容部８５に収容された残留トナーが、挿入壁９３と円筒壁８６との間を通過することが抑制されると共に、円筒壁８６の流入口８６ＡよりもＺ方向側の部位とシャッタ８８との間に隙間がある場合でも、収容容器８０内部の収容部８５に収容された残留トナーが、シャッタ８８と挿入壁９３との間を通過することが抑制される。
【００８９】
このように、本実施形態では、一つの封止部材９０によって、部材間を複数個所で封止する。これにより、封止部材９０の数が低減される。
【００９０】
また、本実施形態では、封止部材９０は、挿入壁９３の平面で構成された被挿入面９３Ｂに取り付けられているので、排出管６８やシャッタ８８の曲面で構成された外面及び内面に取り付ける構成に比べ、封止部材９０の取り付け工程の工程数が低減すると共に、取り付け作業の作業性がよくなる。
【００９１】
本発明は、上記の実施形態に限るものではなく、種々の変形、変更、改良が可能である。例えば、上記に示した変形例は、適宜、複数を組み合わせて構成しても良い。
また、本発明における収容容器の実施形態である収容容器８０は、上記の実施形態において残留トナーを収容するものを例示したが、本発明はこれに限られず、新たなトナーやトナーとキャリアの混合粉体等、種々の形態に適用可能である。
【符号の説明】
【００９２】
１０   画像形成装置
２４   中間転写ベルト（被転写体の一例、転写体の一例）
３２   感光体（転写体の一例）
６０   除去装置
６１   除去装置
６８   排出管
８０   収容容器
８３   対向壁
８４   筐体
８５   収容部
８６   円筒壁（延び壁の一例）
８６Ａ 流入口
８６Ｂ 被挿入空間
８８   シャッタ（開閉部の一例）
９０   封止部材
９３   挿入壁
９３Ａ 挿入口
９３Ｂ 被挿入面
９４   周囲壁
Ｐ     記録媒体（被転写体の一例）
【図１】
0005716485.tif 000002
【図２】
0005716485.tif 000003
【図３】
0005716485.tif 000004
【図４】
0005716485.tif 000005
【図５】
0005716485.tif 000006
【図６】
0005716485.tif 000007
【図７】
0005716485.tif 000008
【図８】
0005716485.tif 000009
【図９】
0005716485.tif 000010
【図１０】
0005716485.tif 000011